(57)【要約】【課題】設備コストを低減しながらパラフィン系相変化材を能率よく凝固、溶融させる。蓄熱槽の蓄熱量を多くする。【解決手段】蓄熱装置は、液相の比重が循環液よりも低比重であるパラフィン系相変化材１を循環液に混在させる状態で収納している蓄熱槽２と、この蓄熱槽２の循環液を冷却し、冷却された循環液を蓄熱槽２のパラフィン系相変化材１に直接に接触させてパラフィン系相変化材１を凝固させる加熱冷却機構３と、蓄熱槽２に循環される循環液で冷却される外部熱交換器４とを備える。蓄熱槽２は、底部に濾過プレート５を設けて、その上方にパラフィン系相変化材１を入れると共に、濾過プレート５の下方に排出口６を、上方に流入口７を設けている。蓄熱装置は、蓄熱槽２に循環液を循環させて、パラフィン系相変化材１を凝固させると共に、凝固したパラフィン系相変化材１を溶融させてパラフィン系相変化材１に蓄熱させている。【選択図】  図１
2005009837.tif 000002
【特許請求の範囲】
【請求項１】
液相の比重が循環液よりも低比重であって、凝固、溶融する潜熱を蓄熱するパラフィン系相変化材（１）を循環液に混在させる状態として、循環液とパラフィン系相変化材（１）とが直接に接触するように収納している蓄熱槽（２）と、この蓄熱槽（２）に配管を介して連結されて蓄熱槽（２）の循環液を冷却し、冷却された循環液を蓄熱槽（２）のパラフィン系相変化材（１）に直接に接触させて、パラフィン系相変化材（１）を凝固させる加熱冷却機構（３）と、蓄熱槽（２）に配管を介して連結されて蓄熱槽（２）に循環される循環液で冷却される外部熱交換器（４）とを備えており、
蓄熱槽（２）は、循環液が透過する濾過プレート（５）を底部に設けて、濾過プレート（５）の上方にパラフィン系相変化材（１）を入れており、濾過プレート（５）の下方に排出口（６）を、濾過プレート（５）の上方に流入口（７）を設けており、排出口（６）と流入口（７）は加熱冷却機構（３）に連結しており、
循環液を流入口（７）から蓄熱槽（２）に流入させ、流入した循環液を排出口（６）から排出して、循環液でもってパラフィン系相変化材（１）を凝固させると共に、凝固したパラフィン系相変化材（１）を溶融させてパラフィン系相変化材（１）に蓄熱させるようにしてなる蓄熱装置。
【請求項２】
パラフィン系相変化材（１）の凝固温度が３〜１５℃である請求項１に記載される蓄熱装置。
【請求項３】
液相の比重が循環液よりも低比重であって、凝固、溶融する潜熱を蓄熱するパラフィン系相変化材（１）を循環液に混在させる状態として、循環液とパラフィン系相変化材（１）とが直接に接触するように収納している蓄熱槽（２）と、この蓄熱槽（２）に配管を介して連結されて蓄熱槽（２）の循環液を加温し、加温された循環液を蓄熱槽（２）のパラフィン系相変化材（１）に直接に接触させて、パラフィン系相変化材（１）を溶融させる加熱冷却機構（３）と、蓄熱槽（２）に配管を介して連結されて蓄熱槽（２）に循環される循環液で加温される外部熱交換器（４）とを備えており、
蓄熱槽（２）は、循環液が透過する濾過プレート（５）を底部に設けて、濾過プレート（５）の上方にパラフィン系相変化材（１）を入れており、濾過プレート（５）の下方に排出口（６）を、濾過プレート（５）の上方に流入口（７）を設けており、排出口（６）と流入口（７）は加熱冷却機構（３）に連結しており、
循環液を流入口（７）から蓄熱槽（２）に流入させ、流入した循環液を排出口（６）から排出して、循環液でもってパラフィン系相変化材（１）を溶融させると共に、溶融したパラフィン系相変化材（１）を凝固させてパラフィン系相変化材（１）に蓄熱させるようにしてなる蓄熱装置。
【請求項４】
パラフィン系相変化材（１）の凝固温度が２０〜１２０℃である請求項３に記載される蓄熱装置。
【請求項５】
濾過プレート（５）が、多孔板又は網である請求項１又は３に記載される蓄熱装置。
【請求項６】
蓄熱槽（２）の上部に、流入口（７）から供給される循環液を均一に分散する整流板（８）を配設して、整流板（８）と濾過プレート（５）との間にパラフィン系相変化材（１）を入れている請求項１又は３に記載される蓄熱装置。
【発明の詳細な説明】
【０００１】
【発明の属する技術分野】
本発明は、パラフィン系相変化材を凝固、融解してその潜熱を利用して蓄熱する装置に関する。本明細書において「蓄熱」は、とくに広義に解釈するものであって、熱エネルギーを蓄える状態のみでなく、熱エネルギーを吸収できる状態をも含むものとする。たとえば、相変化材を冷却して凝固し、これを融解して熱エネルギーを吸収できる状態も蓄熱とする。すなわち、熱エネルギーを蓄える状態と、熱エネルギーを吸収できる状態の両方を「蓄熱」と定義する。
【０００２】
【従来の技術】
水は０℃で融解される相変化材である。０℃以上の温度で凝固、融解する相変化材としてパラフィン系の相変化材が開発されている。相変化材を凝固、融解させて潜熱を利用して蓄熱する装置は、コンパクトで蓄熱量を大きくできる特長がある。相変化材は、たとえば深夜電力で蓄熱して冷房や暖房に使用できる。冷房は、相変化材を深夜電力で凝固させる。相変化材が融解するときに融解熱で室内を冷房する。冷房には、溶融温度の低いものを使用する。暖房には、溶融温度の高いものを使用する。この相変化材を深夜電力で融解する。昼間に凝固させて室内を暖房する。
【０００３】
相変化材としてパラフィン系相変化材を使用する蓄熱装置は開発されている（特許文献１参照）。パラフィン系相変化材等の相変化材の融解熱は比熱よりも大きく、これを凝固、融解して蓄熱する装置は、蓄熱量を大きくできる。しかしながら、相変化材は、速やかに全体を凝固させるのが難しい欠点がある。それは、凝固状態における熱伝導が悪いからである。たとえば、相変化材に熱交換パイプを挿入し、この熱交換パイプに低温液体を流して相変化材を冷却して凝固させる場合、熱交換パイプの周囲は凝固するが、凝固部分が速やかに拡大されない。それは、凝固した相変化材の熱伝導が悪いからである。
【０００４】
相変化材にガラスビーズやアルミナビーズを互いに接触するように充填して、実質的な熱伝導を向上できる。互いに接触するガラスビーズやアルミナビーズが、熱を伝導させるからである。ただ、相変化材にこれ等のガラスビーズやアルミナビーズを充填すると、相変化材の充填量が少なくなり、容積に対する蓄熱量が少なくなる欠点がある。また、蓄熱量が減少するにもかかわらず、ガラスビーズやアルミナビーズを充填するので、部品コストが極めて高くなる欠点もある。
【０００５】
本発明者は、この欠点を解消するために、相変化材を充填しているケーシングに複数の金属パイプを入れ、金属パイプを互いに接触させて金属パイプの熱伝導で相変化材を凝固、融解させる装置を開発した（特許文献２参照）。
【０００６】
【特許文献１】
特開２０００−３２０９８８号公報
【特許文献２】
特願２００２−３２０４４７号
【０００７】
【発明が解決しようとする課題】
この構造の冷却装置は、金属パイプを使用するので設備コストが高くなる。また、蓄熱槽に金属パイプを入れるのでパラフィン系相変化材を充填できる量が減少して、蓄熱量も少なくなる欠点がある。とくに、パラフィン系相変化材をより均一に凝固させるには多数の金属パイプを使用する必要があって、ますます設備コストが高くなり、またパラフィン系相変化材量が少なくなって蓄熱量が減少する欠点がある。さらにまた、金属パイプを介してパラフィン系相変化材を均一に凝固させるので、パラフィン系相変化材を直接に凝固させる構造に比較すると効率よく凝固させるのが難しくなる欠点もある。
【０００８】
本発明は、さらにこの欠点を解決することを目的に開発されたものである。本発明の重要な目的は、設備コストを低減しながらパラフィン系相変化材を能率よく凝固、溶融して、蓄熱量を多くできる蓄熱槽を備える冷却装置を提供することにある。
【０００９】
【課題を解決するための手段】
本発明の蓄熱装置は、パラフィン系相変化材１を収納している蓄熱槽２と、この蓄熱槽２に配管を介して連結している加熱冷却機構３と外部熱交換器４とを備える。蓄熱槽２は、液相の比重が循環液よりも低比重であって、凝固、溶融する潜熱を蓄熱するパラフィン系相変化材１を循環液に混在させる状態として、循環液とパラフィン系相変化材１とが直接に接触するように収納している。蓄熱槽２は、循環液が透過する濾過プレート５を底部に設けて、濾過プレート５の上方にパラフィン系相変化材１を入れている。さらに、蓄熱槽２は、濾過プレート５の下方に排出口６を、濾過プレート５の上方に流入口７を設けて、排出口６と流入口７とを加熱冷却機構３に連結している。
【００１０】
さらに、本発明の請求項１の蓄熱装置は、加熱冷却機構３が蓄熱槽２の循環液を冷却すると共に、冷却された循環液を蓄熱槽２のパラフィン系相変化材１に直接に接触させてパラフィン系相変化材１を凝固させている。外部熱交換器４は、蓄熱槽２に循環される循環液で冷却されている。この蓄熱装置は、循環液を流入口７から蓄熱槽２に流入させ、流入した循環液を排出口６から排出して、循環液でもってパラフィン系相変化材１を凝固させると共に、凝固したパラフィン系相変化材１を溶融させてパラフィン系相変化材１に蓄熱させている。
パラフィン系相変化材１の凝固温度は、たとえば、３〜１５℃とすることができる。
【００１１】
さらに、本発明の請求項３の蓄熱装置は、加熱冷却機構３が蓄熱槽２の循環液を加温すると共に、加温された循環液を蓄熱槽２のパラフィン系相変化材１に直接に接触させてパラフィン系相変化材１を溶融させている。外部熱交換器４は、蓄熱槽２に循環される循環液で加温されている。この蓄熱装置は、循環液を流入口７から蓄熱槽２に流入させ、流入した循環液を排出口６から排出して、循環液でもってパラフィン系相変化材１を溶融させると共に、溶融したパラフィン系相変化材１を凝固させてパラフィン系相変化材１に蓄熱させている。
パラフィン系相変化材１の凝固温度は、たとえば、２０〜１２０℃とすることができる。
【００１２】
濾過プレート５は、多孔板又は網とすることができる。さらに、蓄熱装置は、蓄熱槽２の上部に、流入口７から供給される循環液を均一に分散する整流板８を配設して、整流板８と濾過プレート５との間にパラフィン系相変化材１を入れ留ことができる。
【００１３】
【発明の実施の形態】
以下、本発明の実施例を図面に基づいて説明する。ただし、以下に示す実施例は、本発明の技術思想を具体化するための蓄熱装置を例示するものであって、本発明は蓄熱装置を下記のものに特定しない。
【００１４】
さらに、この明細書は、特許請求の範囲を理解し易いように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１５】
図１と図２に示す蓄熱装置は、パラフィン系相変化材１を凝固、融解させてパラフィン系相変化材１の潜熱を利用して蓄熱する蓄熱槽２と、この蓄熱槽２に配管を介して連結されて蓄熱槽２に循環される循環液を冷却し、あるいは加熱して蓄熱槽２のパラフィン系相変化材１を凝固、又は融解させる加熱冷却機構３と、蓄熱槽２に配管を介して連結されて蓄熱槽２に循環される循環液で冷却され、あるいは加温される外部熱交換器４とを備えている。
【００１６】
この蓄熱装置は、加熱冷却機構３と蓄熱槽２に循環液を循環する。循環される循環液は加熱冷却機構３で冷却又は加温されて、パラフィン系相変化材１を凝固又は融解して蓄熱する。さらに、蓄熱槽２は、外部熱交換器４である冷凍・空調用熱交換器に循環液が循環される。循環される循環液は、パラフィン系相変化材１を溶融し、あるいは凝固させて、外部熱交換器４で冷房し、あるいは暖房する。加熱冷却機構３は、深夜電力を利用して、パラフィン系相変化材１を凝固または融解して蓄熱させる。冷房のときは、深夜電力で運転される加熱冷却機構３で冷却した循環液でパラフィン系相変化材１を凝固させる。その後、昼間には、凝固したパラフィン系相変化材１が、外部熱交換器４に循環される循環液を冷却し、冷却された循環液が外部熱交換器４に循環されて冷却する。暖房のときは、深夜電力で運転される加熱冷却機構３であるチリングユニットやヒータで循環液を加熱して蓄熱槽２に循環させる。循環される循環液は、パラフィン系相変化材１を溶融する。その後、昼間には、溶融したパラフィン系相変化材１が、蓄熱槽２に循環される循環液を加温し、加温された液体が外部熱交換器４に循環されて暖房する。
【００１７】
図３は蓄熱槽２を示す。この蓄熱槽２は、パラフィン系相変化材１を充填している。この蓄熱槽２は、循環液を透過させる濾過プレート５を底部に設けて、濾過プレート５の上方にパラフィン系相変化材１を入れている。さらに、蓄熱槽２は、濾過プレート５の下方に排出口６を開口して、濾過プレート５の上方に流入口７を設けている。排出口６と流入口７は加熱冷却機構３に連結され、加熱冷却機構３が循環液を冷却してパラフィン系相変化材１を凝固し、また加熱冷却機構３が循環液を加温してパラフィン系相変化材１を溶融して蓄熱する。
【００１８】
濾過プレート５は、金属製あるいはプラスチック製の多孔板や網である。濾過プレート５は、循環液を通過させて固相のパラフィン系相変化材１の通過を阻止する。パラフィン系相変化材１は、実質的には循環液に溶解されない。したがって、蓄熱槽２の循環液には、溶解されない液相のパラフィン系相変化材１が混在する。ただ正確には、パラフィン系相変化材は循環液に全く溶解されないのではなく、厳密にはわずかに溶解される。たとえば、循環液を水とする場合、パラフィン系相変化材１は１０００リットルの水に数ｍｇは溶解されるが、この程度の溶解率ではパラフィン系相変化材１は循環液に溶解されるのは無視できるので、実質的にはパラフィン系相変化材１は循環液に溶解されない。
【００１９】
循環液に溶解されないパラフィン系相変化材１は、液相の状態での比重が固相の状態の比重よりも小さい。液相のパラフィン系相変化材１を循環液の上部に浮かせて、蓄熱槽２から排出されないようにするためである。固相のパラフィン系相変化材１の比重は、循環液よりも大きく、あるいは小さい。固相のパラフィン系相変化材１は、その比重が循環液よりも大きくても、蓄熱槽２から排出されることはない。それは、濾過プレート５が固相のパラフィン系相変化材１の透過を阻止するからである。したがって、パラフィン系相変化材１は、必ずしも固相の状態では循環液よりも低比重とする必要はない。ただし、好ましくは、パラフィン系相変化材１は、固相の状態においても、循環液よりも低比重とする。低比重な固相のパラフィン系相変化材が循環液に浮いて、下に沈降するのを少なくできるからである。下に沈降しない固相のパラフィン系相変化材は、濾過プレートの上面に吸着されない。固相のパラフィン系相変化材が濾過プレートの表面に吸着されると、吸着されたパラフィン系相変化材が循環液の透過抵抗を大きくする。固相のパラフィン系相変化材が濾過プレートの表面に吸着されないと、濾過プレートの透過抵抗が少なく、循環液はスムーズに濾過プレートを透過する。
【００２０】
液相のパラフィン系相変化材１は、浮力で循環液の上方に移動する。このため、液相のパラフィン系相変化材１は、蓄熱槽２の内部を下に向かって移動せず、濾過プレート５よりも下に開口している排出口６から排出されることはない。ただし、蓄熱槽２の内部を流れる循環液の流速が速すぎると、浮上する液相のパラフィン系相変化材１が、循環液で下方に流される。下向きに流れる循環液が、液相のパラフィン系相変化材１を下方に移動させようとするからであ。循環液の蓄熱槽２の内部における下方への流速は、液相のパラフィン系相変化材１を下方に移動させない流速とする。
【００２１】
図３の蓄熱槽２は、流入口７から供給される循環液を均一に分散して下方に流す整流板８を上部に配設して、整流板８と濾過プレート５との間にパラフィン系相変化材１を入れている。整流板８で分散されて透過する循環液は、蓄熱槽２の内部を均一に下方に向かって流れ、部分的に速く流れるところがなくなる。循環液が部分的に速く流れると、この部分で液相のパラフィン系相変化材１が下方に移動することがある。整流板８のある蓄熱槽２は、このことがなく、液相のパラフィン系相変化材１が下方に流れるのを防止できる。
【００２２】
パラフィン系相変化材１は、凝固、融解する潜熱で熱エネルギーを蓄熱する。パラフィン系相変化材１は、凝固、融解する温度、すなわち凝固温度を用途に最適な最適温度となるものが選択される。たとえば、冷房用の蓄熱装置は、凝固温度を３〜１５℃とするパラフィン系相変化材１を使用する。暖房用の蓄熱装置は、凝固温度を２０〜１２０℃とするパラフィン系相変化材１を使用する。パラフィン系相変化材１は、結合しているカーボン数で溶融温度を調整できる。カーボン数が多くなって分子量が多くなると溶融温度が高くなる。パラフィン系相変化材１は、溶融温度よりも高い温度で熱融解される。さらに、溶融温度よりも低い温度で凝固される。パラフィン系相変化材１は、凝固状態から融解されて周囲から熱を吸収する。すなわち、この状態で周囲を冷却する。また、パラフィン系相変化材１は、融解された状態から凝固すると熱を放出する。すなわち、この状態で周囲を加熱する。パラフィン系相変化材１は、凝固と融解を繰り返して、潜熱に相当する熱エネルギーを吸収あるいは放出する。
【００２３】
循環液は水が使用される。ただし、循環液には液相のパラフィン系相変化材１よりも比重が大きい他の液体も使用できる。
【００２４】
蓄熱槽２は、密閉構造としてパラフィン系相変化材１と循環液を漏れないように充填する。ただ、蓄熱槽２は、上方を開口する構造とすることもできる。蓄熱槽２は断熱している。断熱は、蓄熱槽２の外側あるいは内側に断熱材（図示せず）を張設して、熱伝導を少なくして行われる。
【００２５】
図１は、夏期の冷房時における運転を示している。この図において、加熱冷却機構３は、蓄熱槽２の排出口６から循環液を吸入して冷却し、冷却した循環液を流入口７から蓄熱槽２に循環して、蓄熱槽２のパラフィン系相変化材１を冷却して凝固させる。この図において、加熱冷却機構３は、深夜電力で運転されるチリングユニットで、１２℃の循環液を吸入し７℃に冷却して排出する。加熱冷却機構３が循環液を冷却する深夜において、循環液は外部熱交換器４を通過することなく蓄熱槽２に循環される。蓄熱槽２に循環される７℃の循環液は、蓄熱槽２を通過してパラフィン系相変化材１を凝固させる。蓄熱槽２の内部において、循環液はパラフィン系相変化材１に直接に接触してパラフィン系相変化材１を凝固させる。パラフィン系相変化材１を凝固させる循環液は、温度が上昇して加熱冷却機構３に循環される。この運転で蓄熱槽２のパラフィン系相変化材１が凝固されて、凝固されたパラフィン系相変化材１は液相に変換するときに潜熱を奪う状態として蓄えられる。冷房するときは、蓄熱槽２の循環液を外部熱交換器４に循環させる。外部熱交換器４を通過する循環液は、室内空気を冷却して、７℃から１５℃に加温される。加温された循環液は蓄熱槽２に循環され、蓄熱槽２の内部で固相のパラフィン系相変化材１に直接に接触し、パラフィン系相変化材１の潜熱で１２℃に冷却されて排出口６から排出される。外部熱交換器４に循環液を循環させるとき、加熱冷却機構３を運転し、パラフィン系相変化材１の潜熱と両方で循環液を冷却することもできる。
【００２６】
図２は冬期の暖房時の運転を示す。この図の運転においては、加熱冷却機構３は排出口６から循環液を吸入して加温し、加温した循環液を流入口７から蓄熱槽２に循環して、蓄熱槽２のパラフィン系相変化材１を加温して溶融する状態として蓄熱する。この図において、加熱冷却機構３は、深夜電力で運転されるチリングユニットあるいはヒータで、３５℃の循環液を吸入し４０℃に加温して排出する。ヒータは、蓄熱槽に内蔵させることもできる。加熱冷却機構３が循環液を加温する深夜において、循環液は外部熱交換器４を通過することなく蓄熱槽２に循環される。蓄熱槽２に循環される４０℃の循環液は、蓄熱槽２を通過してパラフィン系相変化材１を溶融させる。蓄熱槽２の内部において、循環液はパラフィン系相変化材１に直接に接触してパラフィン系相変化材１を溶融させる。パラフィン系相変化材１を溶融させる循環液は冷却されて、加熱冷却機構３に循環される。この運転で蓄熱槽２のパラフィン系相変化材１が溶融されて、溶融されたパラフィン系相変化材１は固相に変換するときに潜熱を奪う状態として熱エネルギーを蓄熱する。暖房するときは、蓄熱槽２の循環液を外部熱交換器４に循環させる。外部熱交換器４を通過する循環液は、室内空気を加温して、４０℃から３０℃に冷却される。冷却された循環液は蓄熱槽２に循環され、蓄熱槽２の内部で液相のパラフィン系相変化材１に直接に接触し、パラフィン系相変化材１で３５℃に加温されて排出口６から排出される。外部熱交換器４に循環液を循環させるとき、加熱冷却機構３を運転し、パラフィン系相変化材１の潜熱と両方で循環液を加温することもできる。
【００２７】
図１と図２に示す装置は、外部熱交換器４として、室内空気を冷却し、あるいは加温する冷凍・空調用熱交換器の使用例を示している。ただ、本発明の蓄熱装置は、外部熱交換器を、室内空気を冷却あるいは加温する冷凍・空調用熱交換器に特定しない。本発明の蓄熱装置は、外部熱交換器を、床や天井、壁等に埋設されて、これらを冷却あるいは加温する熱交換器とすることもできる。たとえば、外部熱交換器は、天井や壁に埋設して室内を冷房することも、床や壁に埋設して室内を暖房することもできる。外部熱交換器を天井や壁に埋設して室内を冷房する装置は、加熱冷却機構であるチリングユニットで循環液を冷却する温度を図１の温度よりも高く設定する。したがって、パラフィン系相変化材には、凝固温度が高めのものが使用できる。さらに、外部熱交換器を床や壁に埋設して室内を暖房する装置は、加熱冷却機構であるチリングユニットで循環液を加温する温度を図２の温度よりも低く設定する。したがって、パラフィン系相変化材には、凝固温度が低めのものが使用できる。
【００２８】
【発明の効果】
本発明の蓄熱装置は、パラフィン系相変化材を能率よく凝固、溶融しながら、設備コストを低減できる特長がある。それは、本発明の蓄熱装置が、パラフィン系相変化材を循環液に混在させる状態として蓄熱槽に収納しており、この蓄熱槽の循環液を加熱冷却機構で冷却あるいは加温して循環液を蓄熱槽のパラフィン系相変化材に直接に接触させてパラフィン系相変化材を凝固あるいは溶融させているからである。この構造の蓄熱装置は、従来の装置のように、蓄熱槽に金属パイプ等の熱伝導部材を充填することなく、循環液で直接にパラフィン系相変化材を冷却あるいは加温するので、設備コストを低減しながらパラフィン系相変化材を能率よく、均一に凝固、溶融できる。しかも、蓄熱槽に充填するパラフィン系相変化材の充填量を減少させないので、蓄熱量が少なくなるのを有効に防止できる特長もある。
【００２９】
とくに、本発明の蓄熱装置は、液相の比重が循環液よりも低比重であるパラフィン系相変化材を使用すると共に、蓄熱槽の底部に循環液が透過する濾過プレートを設けて、その上方にパラフィン系相変化材を入れており、濾過プレートの上方の流入口から、濾過プレートの下方の排出口に循環液を循環させている。このため、液相のパラフィン系相変化材は循環液の上部に浮上させて、また固相のパラフィン系相変化材は濾過プレートで透過を阻止して、パラフィン系相変化材が蓄熱槽から排出されるのを確実に防止して、長期間にわたって蓄熱できる。
【図面の簡単な説明】
【図１】本発明の一実施例にかかる蓄熱装置の概略構成図であって、夏期に冷房する状態を示す図
【図２】本発明の一実施例にかかる蓄熱装置の概略構成図であって、冬期に暖房する状態を示す図
【図３】蓄熱槽の概略断面図
【符号の説明】
１…パラフィン系相変化材
２…蓄熱槽
３…加熱冷却機構
４…外部熱交換器
５…濾過プレート
６…排出口
７…流入口
８…整流板
【図１】
2005009837.tif 000003
【図２】
2005009837.tif 000004
【図３】
2005009837.tif 000005